(57)【要約】  制御部６は、タッチパネル２の第１のＸ，Ｙ領域２０において、指１０が第１のＺ領域２２に所定時間継続して存在する場合、第１の表示と第１の振動を行い、タッチパネル２の第２のＸ，Ｙ領域２１において、指１０が第１のＺ領域２２から第２のＺ領域２３に入った場合、所定の機能を動作するとともに、第２の表示と第２の振動を行い、指１０が第１のＺ領域２２に所定時間継続して存在する前にタッチパネル２の第２のＸ，Ｙ領域２１において、指１０が第２のＺ領域２３に入った場合、所定の機能を動作せず、第３の表示と第３の振動のみ行う。
2014017032.tif 000002
【特許請求の範囲】
【請求項１】
表示部と、
前記表示部に重ねて配置され、指示体との間の距離を検出可能なタッチパネルと、を備え、
前記タッチパネルの第１の領域において、前記距離が第１の距離以下であり、かつ、前記第１の距離より小さい第２の距離より大きい場合が、所定時間以上続いた後に、
前記タッチパネルの第２の領域において、前記距離が前記第２の距離以下になった場合、前記第１及び／又は第２の領域に対応した所定の機能が動作し、
前記第１の領域において、前記距離が第１の距離以下であり、かつ、前記第２の距離より大きい場合が、前記所定時間以上続く前に、
前記第２の領域において、前記距離が前記第２の距離以下になった場合、前記所定の機能は動作しない、
電子機器。
【請求項２】
請求項１に記載の電子機器であって、
前記所定の機能が動作する場合、前記表示部の表示が変化する、
電子機器。
【請求項３】
請求項１又は請求項２に記載の電子機器であって、
前記第１の領域の少なくとも一部は、前記第２の領域と重なる、
電子機器。
【請求項４】
請求項１から請求項３のいずれか１項に記載の電子機器であって、
前記第１の領域は、前記第２の領域を包含する、
電子機器。
【請求項５】
請求項１から請求項４のいずれか１項に記載の電子機器であって、
前記第１の領域と前記第２の領域は一致する、
電子機器。
【請求項６】
請求項１から請求項５のいずれか１項に記載の電子機器であって、
前記第１及び／又は第２の領域は、前記表示部に表示されたアイコンに対応する、
電子機器。
【請求項７】
請求項１から請求項６のいずれか１項に記載の電子機器であって、
前記第２の距離は、０である、
電子機器。
【請求項８】
請求項１から請求項７のいずれか１項に記載の電子機器であって、
前記第１の領域において、前記距離が第１の距離以下であり、かつ、前記第２の距離より大きい場合が、所定時間以上続いた後に、
前記第２の領域において、前記距離が前記第２の距離以下になった場合、
前記表示部は、所定の表示を行う、
電子機器。
【請求項９】
請求項１から請求項８のいずれか１項に記載の電子機器であって、
前記第１の領域において、前記距離が第１の距離以下であり、かつ、前記第２の距離より大きい場合が所定時間以上続いた場合、前記表示部は第１の表示を行い、
その後に、
前記第２の領域において、前記距離が前記第２の距離以下になった場合、前記表示部は第２の表示を行う、
電子機器。
【請求項１０】
請求項１から請求項９のいずれか１項に記載の電子機器であって、
前記第１の領域において、前記距離が第１の距離以下であり、かつ、前記第２の距離より大きい場合が、前記所定時間以上続く前に、
前記第２の領域において、前記距離が前記第２の距離以下になった場合、前記表示部は第３の表示を行う、
電子機器。
【請求項１１】
請求項１０に記載の電子機器であって、
前記第３の表示は、少なくとも入力が失敗した旨の表示を含む、
電子機器。
【請求項１２】
請求項１から請求項１１のいずれか１項に記載の電子機器であって、
振動部を備え、
前記第１の領域において、前記距離が第１の距離以下であり、かつ、前記第２の距離より大きい場合が、所定時間以上続いた後に、
前記第２の領域において、前記距離が前記第２の距離以下になった場合、
前記振動部は、所定の振動を行う、
電子機器。
【請求項１３】
請求項１から請求項１２のいずれか１項に記載の電子機器であって、
振動部を備え、
前記第１の領域において、前記距離が第１の距離以下であり、かつ、前記第２の距離より大きい場合が所定時間以上続いた場合、前記振動部は第１の振動を行い、
その後に、
前記第２の領域において、前記距離が前記第２の距離以下になった場合、前記振動部は第２の振動を行う、
電子機器。
【請求項１４】
請求項１３に記載の電子機器であって、
前記第１の振動と前記第２の振動は同じである、
電子機器。
【請求項１５】
請求項１から請求項１４のいずれか１項に記載の電子機器であって、
振動部を備え、
前記第１の領域において、前記距離が第１の距離以下であり、かつ、前記第２の距離より大きい場合が、前記所定時間以上続く前に、
前記第２の領域において、前記距離が前記第２の距離以下になった場合、前記振動部は第３の振動を行う、
電子機器。
【請求項１６】
請求項１５に記載の電子機器であって、
前記第３の振動は、第１の振動及び／又は第２の振動と同じである、
電子機器。
【請求項１７】
請求項１２から請求項１６のいずれか１項に記載の電子機器であって、
前記振動部は、スピーカー、ブザー、バイブレータ、及び圧電素子の内、少なくとも１つである、
電子機器。
【請求項１８】
表示部と、前記表示部に重ねて配置され、指示体との間の距離を検出可能なタッチパネルと、を備える電子機器において利用可能な動作制御方法であって、
前記タッチパネルの第１の領域において、前記距離が第１の距離以下であり、かつ、前記第１の距離より小さい第２の距離より大きい場合が、所定時間以上続いた後に、
前記タッチパネルの第２の領域において、前記距離が前記第２の距離以下になった場合、前記第１及び／又は第２の領域に対応した所定の機能が動作し、
前記第１の領域において、前記距離が第１の距離以下であり、かつ、前記第２の距離より大きい場合が、前記所定時間以上続く前に、
前記第２の領域において、前記距離が前記第２の距離以下になった場合、前記所定の機能は動作しない、
動作制御方法。
【発明の詳細な説明】
【技術分野】
【０００１】
本発明は、タッチパネルを搭載した電子機器に関する。
【背景技術】
【０００２】
上述した電子機器の一例として、特許文献１に記載されたものがある。この特許文献１に記載された情報処理装置は、アイコンを表示するタッチパネルディスプレイと、タッチパネルディスプレイに表示したアイコンへのタッチ時間を検出する検出部と、検出部で検出されたタッチ時間に応じて、アイコンに関連付けられた機能の設定内容を報知するための報知画面をタッチパネルディスプレイに表示させる制御部と、を備えている。
【先行技術文献】
【特許文献】
【０００３】
【特許文献１】日本国特開２０１１−２０４１７５号公報
【発明の概要】
【発明が解決しようとする課題】
【０００４】
ところで、タッチパネルは、画面に軽く触れただけで、触れた位置に対応する機能が動作するため、意図せずに触れてしまった場合に誤動作してしまう。
また、タッチパネルは、画面に触れた後、機能が動作するまでどこに触れたのか分からず、意図した位置と異なる位置に触れてしまい、意図しない機能が動作してしまう場合がある。【０００５】
本発明は、係る事情に鑑みてなされたものであり、タッチパネルの操作において、ユーザの意図しない機能の動作を抑制することができる電子機器を提供することを目的とする。
【課題を解決するための手段】
【０００６】
本発明の電子機器は、表示部と、前記表示部に重ねて配置され、指示体との間の距離を検出可能なタッチパネルと、を備え、前記タッチパネルの第１の領域において、前記距離が第１の距離以下であり、かつ、前記第１の距離より小さい第２の距離より大きい場合が、所定時間以上続いた後に、前記タッチパネルの第２の領域において、前記距離が前記第２の距離以下になった場合、前記第１及び／又は第２の領域に対応した所定の機能が動作し、前記第１の領域において、前記距離が第１の距離以下であり、かつ、前記第２の距離より大きい場合が、前記所定時間以上続く前に、前記第２の領域において、前記距離が前記第２の距離以下になった場合、前記所定の機能は動作しない。【０００７】
上記構成によれば、指示体（例えば“指”）が、タッチパネルの第１の領域から第１の距離以下で、かつ第１の距離より小さい第２の距離より大きい位置にあり、その状態が所定時間以上続いた後、指示体がタッチパネルの第２の領域に移行し、その領域から第２の距離以下の位置になった場合、第１及び／又は第２の領域に対応した所定の機能が動作する。一方、指示体が、タッチパネルの第１の領域から第１の距離以下で、かつ第１の距離より小さい第２の距離より大きい位置にあり、その状態が所定時間以上続く前に、指示体がタッチパネルの第２の領域に移行し、タッチパネルとの間の距離が第２の距離以下になった場合、所定の機能は動作しない。
したがって、指示体を高速で動かす操作を行った場合には所定の機能が動作せず、ゆっくり動かす操作を行った場合にのみ所定の機能が動作するので、タッチパネルの操作において、ユーザの意図しない機能の動作を抑制することが可能となる。【０００８】
上記構成において、前記所定の機能が動作する場合、前記表示部の表示が変化する。【０００９】
上記構成によれば、所定の機能が動作する場合に表示部の表示が変化するので、ユーザは、所定の機能が動作したことを認識できる。【００１０】
上記構成において、前記第１の領域の少なくとも一部は、前記第２の領域と重なる。【００１１】
上記構成において、前記第１の領域は、前記第２の領域を包含する。【００１２】
上記構成において、前記第１の領域と前記第２の領域は一致する。【００１３】
上記構成において、前記第１及び／又は第２の領域は、前記表示部に表示されたアイコンに対応する。【００１４】
上記構成において、前記第２の距離は、０である。【００１５】
上記構成において、前記第１の領域において、前記距離が第１の距離以下であり、かつ、前記第２の距離より大きい場合が、所定時間以上続いた後に、前記第２の領域において、前記距離が前記第２の距離以下になった場合、前記表示部は、所定の表示を行う。【００１６】
上記構成によれば、指示体が、タッチパネルの第１の領域から第１の距離以下で、かつ第１の距離より小さい第２の距離より大きい位置にあり、その状態が所定時間以上続いた後、指示体がタッチパネルの第２の領域に移行し、その領域から第２の距離以下の位置になった場合、表示部が所定の表示を行う。
したがって、所定の機能が動作する場合に、所定の表示が行われるので、ユーザは、所定の機能が動作したことを認識できる。【００１７】
上記構成において、前記第１の領域において、前記距離が第１の距離以下であり、かつ、前記第２の距離より大きい場合が所定時間以上続いた場合、前記表示部は第１の表示を行い、その後に、前記第２の領域において、前記距離が前記第２の距離以下になった場合、前記表示部は第２の表示を行う。【００１８】
上記構成によれば、指示体が、タッチパネルの第１の領域から第１の距離以下で、かつ第１の距離より小さい第２の距離より大きい位置にあり、その状態が所定時間以上続いた後、表示部が第１の表示を行い、その後に、指示体がタッチパネルの第２の領域に移行し、その領域から第２の距離以下の位置になった場合、表示部が第２の表示を行う。
したがって、ユーザは、第１の表示及び第２の表示を確認することにより、タッチパネル操作における入力が成功したことを認識できる。【００１９】
上記構成において、前記第１の領域において、前記距離が第１の距離以下であり、かつ、前記第２の距離より大きい場合が、前記所定時間以上続く前に、前記第２の領域において、前記距離が前記第２の距離以下になった場合、前記表示部は第３の表示を行う。【００２０】
上記構成によれば、指示体が、タッチパネルの第１の領域から第１の距離以下で、かつ第１の距離より小さい第２の距離より大きい位置にあり、その状態が所定時間以上続く前に、指示体がタッチパネルの第２の領域に移行し、その領域から第２の距離以下の位置になった場合、表示部が第３の表示を行う。
したがって、ユーザは、第３の表示を確認することにより、タッチパネル操作における入力が失敗したことを認識できる。【００２１】
上記構成において、前記第３の表示は、少なくとも入力が失敗した旨の表示を含む。【００２２】
上記構成によれば、ユーザは、第３の表示を確認することで、入力が失敗したことを認識できる。【００２３】
上記構成において、振動部を備え、前記第１の領域において、前記距離が第１の距離以下であり、かつ、前記第２の距離より大きい場合が、所定時間以上続いた後に、前記第２の領域において、前記距離が前記第２の距離以下になった場合、前記振動部は、所定の振動を行う。【００２４】
上記構成によれば、指示体が、タッチパネルの第１の領域から第１の距離以下で、かつ第１の距離より小さい第２の距離より大きい位置にあり、その状態が所定時間以上続いた後、その後に、指示体がタッチパネルの第２の領域に移行し、その領域から第２の距離以下の位置になった場合、振動部が所定の振動を行う。
したがって、ユーザは、所定の振動を確認することにより、タッチパネル操作における入力が成功したことを認識できる。【００２５】
上記構成において、振動部を備え、前記第１の領域において、前記距離が第１の距離以下であり、かつ、前記第２の距離より大きい場合が所定時間以上続いた場合、前記振動部は第１の振動を行い、その後に、前記第２の領域において、前記距離が前記第２の距離以下になった場合、前記振動部は第２の振動を行う。【００２６】
上記構成によれば、指示体が、タッチパネルの第１の領域から第１の距離以下で、かつ第１の距離より小さい第２の距離より大きい位置にあり、その状態が所定時間以上続いた場合、振動部が第１の振動を行い、その後に、指示体がタッチパネルの第２の領域に移行し、その領域から第２の距離以下の位置になった場合、振動部が第２の振動を行う。
したがって、ユーザは、第１の振動及び第２の振動を確認することにより、タッチパネル操作における入力が成功したことを認識できる。【００２７】
上記構成において、前記第１の振動と前記第２の振動は同じである。【００２８】
上記構成において、振動部を備え、前記第１の領域において、前記距離が第１の距離以下であり、かつ、前記第２の距離より大きい場合が、前記所定時間以上続く前に、前記第２の領域において、前記距離が前記第２の距離以下になった場合、前記振動部は第３の振動を行う。【００２９】
上記構成によれば、指示体が、タッチパネルの第１の領域から第１の距離以下で、かつ第１の距離より小さい第２の距離より大きい位置にあり、その状態が所定時間以上続く前に指示体がタッチパネルの第２の領域に移行し、その領域から第２の距離以下の位置になった場合、振動部が第３の振動を行う。
したがって、ユーザは、第３の振動を確認することで、入力が失敗したことを認識できる。【００３０】
上記構成において、前記第３の振動は、第１の振動及び／又は第２の振動と同じである。【００３１】
上記構成において、前記振動部は、スピーカー、ブザー、バイブレータ、及び圧電素子の内、少なくとも１つである。【００３２】
本発明の動作制御方法は、表示部と、前記表示部に重ねて配置され、指示体との間の距離を検出可能なタッチパネルと、を備える電子機器において利用可能な動作制御方法であって、前記タッチパネルの第１の領域において、前記距離が第１の距離以下であり、かつ、前記第１の距離より小さい第２の距離より大きい場合が、所定時間以上続いた後に、前記タッチパネルの第２の領域において、前記距離が前記第２の距離以下になった場合、前記第１及び／又は第２の領域に対応した所定の機能が動作し、前記第１の領域において、前記距離が第１の距離以下であり、かつ、前記第２の距離より大きい場合が、前記所定時間以上続く前に、前記第２の領域において、前記距離が前記第２の距離以下になった場合、前記所定の機能は動作しない。
【発明の効果】
【００３３】
本発明によれば、タッチパネルの操作において、ユーザの意図しない機能の動作を抑制することができる。特に、高齢者等のタッチパネル操作が苦手な人向けに効果的である。
【図面の簡単な説明】
【００３４】
【図１】本発明の一実施の形態に係る電子機器の概略構成を示すブロック図
【図２】図１の電子機器の外観を示す斜視図
【図３】図１の電子機器におけるタッチパネルと指の位置関係を示す図
【図４】図１の電子機器における第１のＸ，Ｙ領域と第２のＸ，Ｙ領域の位置関係を示す斜視図
【図５】（ａ）〜（ｃ）図１の電子機器において、指が第１のＺ領域内に所定時間継続して存在した場合の第１の表示と第２の表示の一例を示す図
【図６】（ａ），（ｂ）図１の電子機器において、指が第１のＺ領域内に所定時間継続して存在しなかった場合の第３の表示の一例を示す図
【図７】図１の電子機器における第１〜第３それぞれの振動波形を示す図
【図８】図１の電子機器の動作の状態遷移を示す図
【図９】図１の電子機器の動作の状態遷移を示す図
【発明を実施するための形態】
【００３５】
以下、本発明を実施するための好適な実施の形態について、図面を参照して詳細に説明する。
【００３６】
図１は、本発明の一実施の形態に係る電子機器の概略構成を示すブロック図である。図２は、図１の電子機器の外観を示す斜視図である。なお、本実施の形態に係る電子機器１は、例えばスマートフォンと呼ばれる携帯無線機に適用したものであり、無線機としての通信に関する部分は省略している。
【００３７】
図１において、本実施の形態に係る電子機器１は、タッチパネル２、表示部３、振動部４、記憶部５及び制御部６を備え、これらの各部が縦長長方形状の筐体７に収容されている。タッチパネル２及び表示部３は筐体７の前面側に配置されている。また、タッチパネル２及び表示部３は、筐体７の正面側の大きさより僅かに小さくなっている。タッチパネル２と表示部３は、タッチパネル２の方が僅かに大きくなっている。タッチパネル２と表示部３は重ねて配置されるが、タッチパネル２が表示部３の外側に位置するように配置される。
【００３８】
タッチパネル２は、パネル面に指示体（ユーザの指やペン等であり、本実施の形態では“指”として扱うこととする）が触れることなく所定の範囲の高さでの操作（これを“ホバー操作”と呼ぶ）を可能とした静電容量方式を採用したものである。タッチパネル２は、図示せぬ送信電極と受信電極とを備えており、これらの電極が板状の誘電体の下面に離間して配置されている。送信電極には送信信号に基づく駆動パルスが印加される。送信電極に駆動パルスが印加されることで、送信電極から電界が発生する。発生した電界中に指が入ると、送信電極と受信電極の間の電気力線の数が減少し、電気力線の数の変化が受信電極における電荷の変化として現れる。タッチパネル２は、受信電極における電荷の変化に応じた受信信号から指を検出し、検出した指の位置（Ｘ，Ｙ，Ｚ）を示す座標データを制御部６に出力する。
【００３９】
表示部３は、長方形状を成し、電子機器１を操作するための表示や画像等の表示に使用される。表示部３には、ＬＣＤ（Liquid Crystal Display）、有機ＥＬ（Electro Luminescence）又は電子ペーパーが用いられる。振動部４は、機械的振動を発生するものであり、制御部６によって制御される。振動部４には、スピーカー、ブザー、バイブレータ及び圧電素子のうち、少なくとも１つが用いられる。記憶部５は、ＤＲＡＭ（Dynamic Random Access Memory）等の揮発性メモリを有し、ユーザが電子機器１を使用するうえでの設定を行った際の設定状態の記憶に用いられる。
【００４０】
制御部６は、図示せぬＣＰＵ（Central Processing Unit）、ＲＯＭ（Read Only Memory）、ＲＡＭ（Random Access Memory）及びインタフェース回路で構成される。該ＲＯＭにはＣＰＵを制御するためのプログラムが記憶されており、該ＲＡＭはＣＰＵの動作において使用される。また、制御部６はタイマ回路６１も有している。制御部６は、タッチパネル２より座標データ（Ｘ，Ｙ，Ｚの各座標データ）を取得して、Ｚ座標データより指の近接を判定し、またＸ，Ｙ座標データより該指の平面上の位置を判定する。制御部６は、Ｘ，Ｙ，Ｚの各座標データに基づいて表示部３を制御する。
【００４１】
ここで、制御部６の表示制御について説明する。図３は、タッチパネル２と指１０の位置関係を示す図である。同図において、タッチパネル２には、第１のＸ，Ｙ領域２０と、第１のＸ，Ｙ領域２０より小領域の第２のＸ，Ｙ領域２１が設定される。図４は、第１のＸ，Ｙ領域２０と第２のＸ，Ｙ領域２１の位置関係を示す斜視図である。同図に示すように、第１のＸ，Ｙ領域２０及び第２のＸ，Ｙ領域２１は表示部３の略中央部に表示される。また、第２のＸ，Ｙ領域２１は第１のＸ，Ｙ領域２０の内側に位置する。
【００４２】
図３に戻り、制御部６は、タッチパネル２から得られるＸ，Ｙ座標データより指１０がタッチパネル２の第１のＸ，Ｙ領域２０上にあるかどうか判定する。指１０がタッチパネル２の第１のＸ，Ｙ領域２０上にある場合、制御部６は、指１０とタッチパネル２との間の距離を判定する。そして、判定した距離が第１の距離（例えば、１０ｍｍ）以下であり、かつ、第１の距離より小さい第２の距離より大きい場合（即ち、図３に示す第１のＺ領域２２内にある場合）、この領域２２内にある状態が継続する時間を測定する。指１０が第１のＺ領域２２内にある状態が所定時間（例えば、０．５秒）以上続いた場合、制御部６は、表示部３の表示を第１の表示に変化させ、さらに振動部４を第１の振動で振動させる。また、制御部６は、指１０が第１のＺ領域２２内にある状態が所定時間以上続いた場合、タッチパネル２の第２のＸ，Ｙ領域２１において、指１０とタッチパネル２との間の距離を判定する。そして、判定した距離が第２の距離以下である場合（即ち、図３に示す第２のＺ領域２３内にある場合）、第１及び／又は第２のＸ，Ｙ領域２０，２１に対応した所定の機能を動作させるとともに、表示部３の表示を第２の表示に変化させ、さらに振動部４を第２の振動で振動させる。ユーザは、第１の表示及び第２の表示と、第１の振動及び第２の振動を確認することで、タッチパネル操作における入力が成功したことを認識できる。
【００４３】
一方、制御部６は、タッチパネル２の第１のＸ，Ｙ領域２０において、指１０とタッチパネル２との間の距離が第１の距離以下であり、かつ、第２の距離より大きい場合が所定時間以上続く前に、第２のＸ，Ｙ領域２１において、指１０とタッチパネル２との間の距離が第２の距離以下になった場合（即ち、図３に示す第２のＺ領域２３内に入った場合）は、所定の機能を動作させず、表示部３の表示を第３の表示に変化させ、さらに振動部４を第３の振動で振動させる。ユーザは、第３の表示と第３の振動を確認することで、タッチパネル操作における入力が失敗したことを認識できる。
【００４４】
ここで、図５（ａ）〜（ｃ）は、指１０が第１のＺ領域２２内に所定時間継続して存在した場合の第１の表示と第２の表示の一例を示す図である。また、図６（ａ），（ｂ）は、指１０が第１のＺ領域２２内に所定時間継続して存在しなかった場合の第３の表示の一例を示す図である。図５において、通常は、（ａ）に示すように、鍵マーク３０ａとそれを囲む四角枠３０ｂからなるアイコン３０が表示される。その後、指１０が第１のＺ領域２２内に所定時間継続して存在すると、（ｂ）に示すように、四角枠３０ｂが拡大された四角枠３０ｃのアイコン３１に表示が変化する。このアイコン３１が第１の表示である。さらに、指１０が第２のＺ領域２３内に入ると、花柄模様枠３０ｄのアイコン３２に表示が変化する。このアイコン３２が第２の表示である。
【００４５】
図６において、第１のＸ，Ｙ領域２０かつ第１のＺ領域２２が所定時間以上続く前に、指１０が第２のＺ領域２３に入ると、（ｂ）に示すように、四角枠３０ｂに×が入ったアイコン３３に表示が変化する。このアイコン３３が第３の表示である。また、このとき吹き出し３４が表示される。この吹き出し３４には、例えば「入力に失敗しました。ゆっくり操作して下さい。」のメッセージが表示される。
【００４６】
また、図７は、第１〜第３それぞれの振動波形を示す図である。同図に示すように、第１の振動は、時間の短い単発な波形である。第２の振動は、第１の振動と同じ振幅であるが、第１の振動より時間の長い単発な波形である。第３の振動は、第２の振動を２つ組み合わせたものである。時間的に前後する２つの振動の間に僅かな休止期間を設けている。      
【００４７】
図８及び図９は、本実施の形態に係る電子機器１の動作の状態遷移を示す図である。これらの図において、機能動作無効状態において、第１のＸ，Ｙ領域２０かつ第１のＺ領域２２かつ所定時間経過の場合、処理として、機能動作が有効化し、第１の表示及び第１の振動が行われる。そして、次の状態として、機能動作有効となる。また、機能動作無効状態において、検出状態が、第２のＸ，Ｙ領域２１かつ第２のＺ領域２３の場合、処理として、第３の表示及び第３の振動が行われる。そして、次の状態として、機能動作無効となる。また、機能動作無効状態において、検出状態が、その他の場合、処理として、何も行われない。そして、次の状態として、機能動作無効となる。一方、機能動作有効状態において、第１のＸ，Ｙ領域２０かつ第１のＺ領域２２かつ所定時間経過の場合、処理として、何も行われない。そして、次の状態として、機能動作有効となる。また、機能動作有効状態において、検出状態が、第２のＸ，Ｙ領域２１かつ第２のＺ領域２３の場合、処理として、機能動作し、第２の表示及び第２の振動が行われる。そして、次の状態として、機能動作無効となる。また、機能動作有効状態において、検出状態が、その他の場合、処理として、機能操作が無効化となる。そして、次の状態として、機能動作無効となる。
【００４８】
このように、本実施の形態に係る電子機器１によれば、タッチパネル２の第１のＸ，Ｙ領域２０において、タッチパネル２と指１０との間の距離が第１の距離以下であり、かつ第１の距離より小さい第２の距離より大きい場合が継続する時間を判定し、所定時間継続する場合は、表示部３の表示を第１の表示に変化させとともに、振動部４を第１の振動で振動させ、その後、タッチパネル２の第２のＸ，Ｙ領域２１において、タッチパネル２と指１０との間の距離が第２の距離以下になった場合、第１及び／又は第２のＸ，Ｙ領域２０，２１に対応した所定の機能を動作させるとともに、表示部３の表示を第２の表示に変化させ、さらに振動部４を第２の振動で振動させ、タッチパネル２と指１０との間の距離が第１の距離以下であり、かつ第１の距離より小さい第２の距離より大きい場合が継続する時間が所定時間継続せず、第２のＸ，Ｙ領域２１において、タッチパネル２と指１０との間の距離が第２の距離以下になった場合、所定の機能を動作させず、表示部３の表示を第３の表示に変化させ、さらに振動部４を第３の振動を振動させるので、タッチパネル２の操作において、ユーザの意図しない機能の動作を抑制することができる。即ち、指１０をゆっくり動かす操作を行った場合には、ユーザの意図した機能が動作し、指１０を高速で動かす操作を行った場合には、ユーザの意図した機能が動作しないので、ユーザの意図しない機能の動作を抑制することが可能となる。また、ユーザは、表示の変化と振動の変化により、タッチパネル操作における入力の成功と失敗を認識できるので、より確実な入力が可能となり、特に、高齢者等のタッチパネル操作が苦手な人向けに効果的である。
【００４９】
また、本実施の形態に係る電子機器１では、図７に示したように、第１〜第３の振動波形の全ての振幅を同じにしたが、それぞれの振幅を変えても良いし、周波数を変えても良い。
また、本実施の形態に係る電子機器１は、スマートフォンと呼ばれる携帯無線機に適用したものであったが、携帯無線機に限らず、電子レンジ等の家電や、自動車等のナビゲーション等の操作パネルでも適用可能である。
【００５０】
本発明を詳細にまた特定の実施態様を参照して説明したが、本発明の精神と範囲を逸脱することなく様々な変更や修正を加えることができることは当業者にとって明らかである。
【００５１】
本出願は、２０１２年７月２７日出願の日本特許出願（特願２０１２−１６７３０４）に基づくものであり、その内容はここに参照として取り込まれる。
【産業上の利用可能性】
【００５２】
本発明は、タッチパネルの操作において、ユーザの意図しない機能の動作を抑制することができるといった効果を有し、スマートフォン等の静電容量方式のタッチパネルを用いた電子機器への適用が可能である。
【符号の説明】
【００５３】
１  電子機器
２  タッチパネル
３  表示部
４  振動部
５  記憶部
６  制御部
７  筐体
１０  指
２０  第１のＸ，Ｙ領域
２１  第２のＸ，Ｙ領域
２２  第１のＺ領域
２３  第２のＺ領域
３０，３１，３２，３３  アイコン
３０ａ  鍵マーク
３０ｂ，３０ｃ  四角枠
３０ｄ  花柄模様枠
３４  吹き出し
６１  タイマ回路
【図１】
2014017032.tif 000003
【図２】
2014017032.tif 000004
【図３】
2014017032.tif 000005
【図４】
2014017032.tif 000006
【図５】
2014017032.tif 000007
【図６】
2014017032.tif 000008
【図７】
2014017032.tif 000009
【図８】
2014017032.tif 000010
【図９】
2014017032.tif 000011
【手続補正書】
【提出日】平成26年8月29日(2014.8.29)
【手続補正１】
【補正対象書類名】特許請求の範囲
【補正対象項目名】全文
【補正方法】変更
【補正の内容】
【特許請求の範囲】
【請求項１】
表示部と、
前記表示部に重ねて配置され、指示体との間の距離を検出可能なタッチパネルと、を備え、
前記タッチパネルの第１の領域において、前記距離が第１の距離以下であり、かつ、前記第１の距離より小さい第２の距離より大きい場合が、所定時間以上続いた後に、前記タッチパネルの第２の領域において、前記距離が前記第２の距離以下になった場合、前記第１及び／又は第２の領域に対応した所定の機能が動作し、
前記第１の領域において、前記距離が第１の距離以下であり、かつ、前記第２の距離より大きい場合が、前記所定時間以上続く前に、前記第２の領域において、前記距離が前記第２の距離以下になった場合、前記所定の機能は動作せず、かつ、前記表示部が少なくとも入力が失敗した旨の表示を行う、
電子機器。
【請求項２】
請求項１に記載の電子機器であって、
前記所定の機能が動作する場合、前記表示部の表示が変化する、
電子機器。
【請求項３】
請求項１又は請求項２に記載の電子機器であって、
前記第１の領域の少なくとも一部は、前記第２の領域と重なる、
電子機器。
【請求項４】
請求項１から請求項３のいずれか１項に記載の電子機器であって、
前記第１の領域は、前記第２の領域を包含する、
電子機器。
【請求項５】
請求項１から請求項４のいずれか１項に記載の電子機器であって、
前記第１の領域と前記第２の領域は一致する、
電子機器。
【請求項６】
請求項１から請求項５のいずれか１項に記載の電子機器であって、
前記第１及び／又は第２の領域は、前記表示部に表示されたアイコンに対応する、
電子機器。
【請求項７】
請求項１から請求項６のいずれか１項に記載の電子機器であって、
前記第２の距離は、０である、
電子機器。
【請求項８】
請求項１から請求項７のいずれか１項に記載の電子機器であって、
前記第１の領域において、前記距離が第１の距離以下であり、かつ、前記第２の距離より大きい場合が、所定時間以上続いた後に、
前記第２の領域において、前記距離が前記第２の距離以下になった場合、
前記表示部は、所定の表示を行う、
電子機器。
【請求項９】
請求項１から請求項８のいずれか１項に記載の電子機器であって、
前記第１の領域において、前記距離が第１の距離以下であり、かつ、前記第２の距離より大きい場合が所定時間以上続いた場合、前記表示部は第１の表示を行い、
その後に、前記第２の領域において、前記距離が前記第２の距離以下になった場合、前記表示部は第２の表示を行う、
電子機器。
【請求項１０】
請求項９に記載の電子機器であって、
前記第１の領域において、前記距離が第１の距離以下であり、かつ、前記第２の距離より大きい場合が、前記所定時間以上続く前に、
前記第２の領域において、前記距離が前記第２の距離以下になった場合、前記表示部は第３の表示を行う、
電子機器。
【請求項１１】
請求項１から請求項１０のいずれか１項に記載の電子機器であって、
振動部を備え、
前記第１の領域において、前記距離が第１の距離以下であり、かつ、前記第２の距離より大きい場合が、所定時間以上続いた後に、
前記第２の領域において、前記距離が前記第２の距離以下になった場合、
前記振動部は、所定の振動を行う、
電子機器。
【請求項１２】
請求項１から請求項１１のいずれか１項に記載の電子機器であって、
振動部を備え、
前記第１の領域において、前記距離が第１の距離以下であり、かつ、前記第２の距離より大きい場合が所定時間以上続いた場合、前記振動部は第１の振動を行い、
その後に、
前記第２の領域において、前記距離が前記第２の距離以下になった場合、前記振動部は第２の振動を行う、
電子機器。
【請求項１３】
請求項１２に記載の電子機器であって、
前記第１の振動と前記第２の振動は同じである、
電子機器。
【請求項１４】
請求項１から請求項１３のいずれか１項に記載の電子機器であって、
振動部を備え、
前記第１の領域において、前記距離が第１の距離以下であり、かつ、前記第２の距離より大きい場合が、前記所定時間以上続く前に、
前記第２の領域において、前記距離が前記第２の距離以下になった場合、前記振動部は第３の振動を行う、
電子機器。
【請求項１５】
請求項１４に記載の電子機器であって、
前記第３の振動は、第１の振動及び／又は第２の振動と同じである、
電子機器。
【請求項１６】
請求項１１から請求項１５のいずれか１項に記載の電子機器であって、
前記振動部は、スピーカー、ブザー、バイブレータ、及び圧電素子の内、少なくとも１つである、
電子機器。
【請求項１７】
表示部と、前記表示部に重ねて配置され、指示体との間の距離を検出可能なタッチパネルと、を備える電子機器において利用可能な動作制御方法であって、
前記タッチパネルの第１の領域において、前記距離が第１の距離以下であり、かつ、前記第１の距離より小さい第２の距離より大きい場合が、所定時間以上続いた後に、前記タッチパネルの第２の領域において、前記距離が前記第２の距離以下になった場合、前記第１及び／又は第２の領域に対応した所定の機能が動作し、
前記第１の領域において、前記距離が第１の距離以下であり、かつ、前記第２の距離より大きい場合が、前記所定時間以上続く前に、前記第２の領域において、前記距離が前記第２の距離以下になった場合、前記所定の機能は動作せず、かつ、前記表示部が少なくとも入力が失敗した旨の表示を行う、
動作制御方法。
【手続補正２】
【補正対象書類名】明細書
【補正対象項目名】０００６
【補正方法】変更
【補正の内容】
【０００６】
本発明の電子機器は、表示部と、前記表示部に重ねて配置され、指示体との間の距離を検出可能なタッチパネルと、を備え、前記タッチパネルの第１の領域において、前記距離が第１の距離以下であり、かつ、前記第１の距離より小さい第２の距離より大きい場合が、所定時間以上続いた後に、前記タッチパネルの第２の領域において、前記距離が前記第２の距離以下になった場合、前記第１及び／又は第２の領域に対応した所定の機能が動作し、前記第１の領域において、前記距離が第１の距離以下であり、かつ、前記第２の距離より大きい場合が、前記所定時間以上続く前に、前記第２の領域において、前記距離が前記第２の距離以下になった場合、前記所定の機能は動作せず、かつ、前記表示部が少なくとも入力が失敗した旨の表示を行う。
【手続補正３】
【補正対象書類名】明細書
【補正対象項目名】０００７
【補正方法】変更
【補正の内容】
【０００７】
上記構成によれば、指示体（例えば“指”）が、タッチパネルの第１の領域から第１の距離以下で、かつ第１の距離より小さい第２の距離より大きい位置にあり、その状態が所定時間以上続いた後、指示体がタッチパネルの第２の領域に移行し、その領域から第２の距離以下の位置になった場合、第１及び／又は第２の領域に対応した所定の機能が動作する。一方、指示体が、タッチパネルの第１の領域から第１の距離以下で、かつ第１の距離より小さい第２の距離より大きい位置にあり、その状態が所定時間以上続く前に、指示体がタッチパネルの第２の領域に移行し、タッチパネルとの間の距離が第２の距離以下になった場合、所定の機能は動作せず、かつ、前記表示部が少なくとも入力が失敗した旨の表示を行う。
したがって、指示体を高速で動かす操作を行った場合には所定の機能が動作せず、ゆっくり動かす操作を行った場合にのみ所定の機能が動作するので、タッチパネルの操作において、ユーザの意図しない機能の動作を抑制することが可能となる。
さらに、指示体を高速で動かす操作を行った場合には、ユーザは入力が失敗した旨を確認することで、入力が失敗したことを認識できる。
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】００３２
【補正方法】変更
【補正の内容】
【００３２】
本発明の動作制御方法は、表示部と、前記表示部に重ねて配置され、指示体との間の距離を検出可能なタッチパネルと、を備える電子機器において利用可能な動作制御方法であって、前記タッチパネルの第１の領域において、前記距離が第１の距離以下であり、かつ、前記第１の距離より小さい第２の距離より大きい場合が、所定時間以上続いた後に、前記タッチパネルの第２の領域において、前記距離が前記第２の距離以下になった場合、前記第１及び／又は第２の領域に対応した所定の機能が動作し、前記第１の領域において、前記距離が第１の距離以下であり、かつ、前記第２の距離より大きい場合が、前記所定時間以上続く前に、前記第２の領域において、前記距離が前記第２の距離以下になった場合、前記所定の機能は動作せず、かつ、前記表示部が少なくとも入力が失敗した旨の表示を行う。
【国際調査報告】
2014017032.tif 000012
2014017032.tif 000013
2014017032.tif 000014
2014017032.tif 000015